【手続補正書】
【提出日】平成22年2月25日(2010.2.25)
【手続補正１】
【補正対象書類名】特許請求の範囲
【補正対象項目名】全文
【補正方法】変更
【補正の内容】
【特許請求の範囲】
【請求項１】
水と、色材と、インク全量のうちの８質量％から４０質量％の下記一般式（Ｉ）で示される化合物と、総含有量がインク全量のうちの０．３質量％から５質量％の複数種のノニオン界面活性剤とを少なくとも含有し、下記一般式（Ｉ）で示される化合物の質量（Ａ）と上記複数種のノニオン界面活性剤（Ｂ）との質量比（Ａ：Ｂ）が、５：１から９０：１の範囲であることを特徴とするインクジェット記録用インク。
2007277361.tif 000001
（式中、Ｒ1、Ｒ2及びＲ3は、それぞれ水素原子、同一又は異なる炭素数１から４のアルキル基を示し、Ｒ4は、炭素数１から５のアルキレン基を示す。）
【請求項２】
前記一般式（Ｉ）の化合物が、トリメチルグリシンである請求項１に記載のインクジェット記録用インク。
【請求項３】
前記複数種のノニオン界面活性剤のうちの１種が、アセチレングリコールのエチレンオキサイド付加物又はポリオキシエチレンアルキルエーテルである請求項１又は２に記載のインクジェット記録用インク。
【請求項４】
更に下記一般式（II）の化合物、分子量２００から１，０００のポリアルキレングリコール、ポリグリセリン及びビスヒドロキシエチルスルホンからなる群より選ばれる少なくとも１種の化合物を含有する請求項１から３のいずれか１項に記載のインクジェット記録用インク。
2007277361.tif 000002
（式中、Ｒ5及びＲ6は、水素原子若しくはＣnＨ2nＯＨ（ｎ＝２、３）を示し、Ｒ5及びＲ6は、同時に水素原子ではない。）
【請求項５】
インクジェット記録ヘッドを用いて、セルロースを含有する記録媒体にインクを付与して記録を行う工程を有するインクジェット記録方法において、上記記録媒体における記録面積が１５ｃｍ2以上であって、該記録媒体へのインクの付与量が０．０３ｍｇ／ｃｍ2から３０ｍｇ／ｃｍ2であり、
該記録媒体に付与するインクが、水と、色材と、インク全量のうちの８質量％から４０質量％の下記一般式（Ｉ）で示される化合物と、総含有量がインク全量のうちの０．３質量％から５質量％の複数種のノニオン界面活性剤とを少なくとも含有し、下記一般式（Ｉ）で示される化合物の質量（Ａ）と上記複数種のノニオン界面活性剤（Ｂ）との質量比（Ａ：Ｂ）が、５：１から９０：１の範囲であることを特徴とするインクジェット記録方法。
2007277361.tif 000003
（式中、Ｒ1、Ｒ2及びＲ3は、それぞれ水素原子、同一又は異なる炭素数１から４のアルキル基を示し、Ｒ4は、炭素数１から５のアルキレン基を示す。）
【請求項６】
前記記録媒体へのインクの付与量が、０．１ｍｇ／ｃｍ2から２０ｍｇ／ｃｍ2の範囲である請求項５に記載のインクジェット記録方法。
【請求項７】
前記セルロースを含有する記録媒体が、普通紙である請求項５又は６に記載のインクジェット記録方法。
【請求項８】
請求項１から４のいずれか１項に記載のインクを収容しているインク収容部と、該インクを吐出させるインクジェットヘッドとを具備していることを特徴とするインクジェット記録装置。
【手続補正２】
【補正対象書類名】明細書
【補正対象項目名】００１３
【補正方法】変更
【補正の内容】
【００１３】
上記目的は以下の本発明によって達成される。すなわち、本発明は、水と、色材と、インク全量のうちの８質量％から４０質量％の下記一般式（Ｉ）で示される化合物と、総含有量がインク全量のうちの０．３質量％から５質量％の複数種のノニオン界面活性剤とを少なくとも含有し、下記一般式（Ｉ）で示される化合物の質量（Ａ）と上記複数種のノニオン界面活性剤（Ｂ）との質量比（Ａ：Ｂ）が、５：１から９０：１の範囲であることを特徴とするインクである。
2007277361.tif 000004
（式中、Ｒ1、Ｒ2及びＲ3は、それぞれ水素原子、同一又は異なる炭素数１から４のアルキル基を示し、Ｒ4は、炭素数１から５のアルキレン基を示す。）
【手続補正３】
【補正対象書類名】明細書
【補正対象項目名】００１４
【補正方法】変更
【補正の内容】
【００１４】
又、本発明は、インクジェット記録ヘッドを用いて、セルロースを含有する記録媒体にインクを付与して記録を行う工程を有するインクジェット記録方法において、上記記録媒体における記録面積が１５ｃｍ2以上であって、該記録媒体へのインクの付与量が０．０３ｍｇ／ｃｍ2から３０ｍｇ／ｃｍ2であり、該記録媒体に付与するインクが、水と、色材と、インク全量のうちの８質量％から４０質量％の下記一般式（Ｉ）で示される化合物と、総含有量がインク全量のうちの０．３質量％から５質量％の複数種のノニオン界面活性剤とを少なくとも含有し、下記一般式（Ｉ）で示される化合物の質量（Ａ）と上記複数種のノニオン界面活性剤（Ｂ）との質量比（Ａ：Ｂ）が、５：１から９０：１の範囲であることを特徴とするインクジェット記録方法である。
2007277361.tif 000005
（式中、Ｒ1、Ｒ2及びＲ3は、それぞれ水素原子、同一又は異なる炭素数１から４のアルキル基を示し、Ｒ4は、炭素数１から５のアルキレン基を示す。）
【手続補正４】
【補正対象書類名】明細書
【補正対象項目名】００１９
【補正方法】変更
【補正の内容】
【００１９】
以下に、好ましい実施の形態を挙げて本発明を更に詳細に説明する。
（インクの全体構成）
本発明のインクは、水と、色材と、インク全量のうちの８質量％から４０質量％の下記一般式（Ｉ）で示される化合物と、総量がインク全量のうちの０．３質量％から５質量％の複数種のノニオン界面活性剤とを少なくとも含有し、下記一般式（Ｉ）で示される化合物の質量（Ａ）と上記複数種のノニオン界面活性剤（Ｂ）との質量比（Ａ：Ｂ）が、５：１から９０：１の範囲であることを特徴としている。
2007277361.tif 000006
（式中、Ｒ1、Ｒ2及びＲ3は、それぞれ水素原子、同一又は異なる炭素数１から４のアルキル基を示し、Ｒ4は、炭素数１から５のアルキレン基を示す。）
【手続補正５】
【補正対象書類名】明細書
【補正対象項目名】００２３
【補正方法】変更
【補正の内容】
【００２３】
（ノニオン界面活性剤）
本発明のインクは、よりバランスのよい吐出安定性を得るために、インク中に複数種のノニオン界面活性剤を含有することが必須である。２種類以上のノニオン界面活性剤であれば特に制約はないが、中でも複数種の内の１種は、ポリオキシエチレンアルキルエーテル（ノニオン界面活性剤ａ）又はアセチレングリコールのエチレンオキサイド付加物（ノニオン界面活性剤ｂ）であることが好ましい。特に好ましい組み合わせはノニオン界面活性剤ａとノニオン界面活性剤ｂとの併用である。上記ノニオン界面活性剤ａのエチレンオキサイドの付加数は１０から４０が好ましく、アルキル基としては、例えば、セチル基、ステアリル基等が挙げられ、特にセチル基が好ましい。又、他方の界面活性剤ｂとしてはアセチレングリコールのエチレンオキサイド付加物が挙げられる。そのエチレンオキサイドの付加数は３から３０が好ましい。界面活性剤ａと界面活性剤ｂとの併用質量比は、界面活性剤ａ１００質量部あたり界面活性剤ｂが１０質量部から１，０００質量部であることが好ましい。
【手続補正６】
【補正対象書類名】明細書
【補正対象項目名】００２５
【補正方法】変更
【補正の内容】
【００２５】
更に、本発明の技術課題をバランスよく達成するためには、上記一般式（Ｉ）で示される化合物の質量（Ａ）と複数種のノニオン界面活性剤の混合物である上記ノニオン界面活性剤（Ｂ）との質量比（Ａ：Ｂ）が、５：１から９０：１であることも必須である。上記において一般式（Ｉ）で示される化合物の使用量が、界面活性剤の使用量の５質量倍未満であると十分なスタートアップ性が得られない。一方、一般式（Ｉ）で示される化合物の使用量が、界面活性剤の使用量の９０質量倍を超えると十分な周波数応答性が得られない。
【手続補正７】
【補正対象書類名】明細書
【補正対象項目名】００２６
【補正方法】変更
【補正の内容】
【００２６】
尚、前記一般式（Ｉ）で示される化合物の一部を含有するインクが、特開平１１−２５６０８３号公報及び特開平１１−４３６３７号公報において提案されている。しかしながら、前記一般式（Ｉ）で示される化合物とノニオン界面活性剤の含有量や、それらを併用する際の含有比やノニオン界面活性剤の複数種を用いることは記載されていない。